(57)【要約】【課題】撤去または取替の際にも設置箇所の床面に糊残りが発生することのない、防滑性を有する敷物およびその製造方法を提供する。【解決手段】敷物１０ａは、基層１１の敷設箇所に接する側の面に、弾性体の突部１２が筋状に固設されている。【選択図】図２
2017210761.tif 000002
【特許請求の範囲】
【請求項１】
基層の敷設箇所に接する側の面に、弾性体の突部が筋状に固設されている敷物。
【請求項２】
前記基層が人工芝である、請求項１に記載の敷物。
【請求項３】
前記基層が、主層と、前記主層の下面に積層された前記弾性体からなる弾性層とを含み、
前記突部が前記弾性層から突出している、請求項１に記載の敷物。
【請求項４】
前記基層が、主層と、前記主層の下面に積層された凹凸層とを含み、
前記凹凸層の下面に形成されている凹凸の表面に、前記突部が固設されている、請求項１に記載の敷物。
【請求項５】
前記主層が人工芝である、請求項３または４に記載の敷物。
【請求項６】
前記凹凸層が、ポリ塩化ビニル（ＰＶＣ）またはゴムチップで形成されている、請求項４または５に記載の敷物。
【請求項７】
前記突部の横断面の形状が、矩形、台形、半円形および三角形のいずれかである、請求項１から６のいずれかに記載の敷物。
【請求項８】
隣接する前記突部の前記横断面の形状が異なっている、請求項１から７のいずれかに記載の敷物。
【請求項９】
隣接する前記突部の前記横断面の高さまたは幅が異なっている、請求項１から８のいずれかに記載の敷物。
【請求項１０】
前記弾性体が、シーリング材またはコーキング材である、請求項１から９のいずれかに記載の敷物。
【請求項１１】
端部に切り欠きを有する器具の端部を押し付けながら前記器具または基層をスライドさせることにより、硬化すると弾性体になる滑り止め材を、前記基層の敷設箇所に接する側の面に筋状に塗布して、前記基層の前記敷設箇所に接する側の面に、前記弾性体の突部を筋状に固設するステップを含む、敷物の製造方法。
【請求項１２】
前記弾性体の突部を筋状に固設するステップが、
前記滑り止め材を主層の下面に層状に塗布して、前記主層の下面に前記弾性体の弾性層を形成するサブステップと、
前記器具の端部を押し付けながら前記器具または前記主層をスライドさせることにより、前記滑り止め材を前記弾性層の表面に筋状に塗布して、前記弾性層の表面に前記弾性体の前記突部を筋状に固設するサブステップとを含む、請求項１１に記載の敷物の製造方法。
【請求項１３】
前記弾性体の突部を筋状に固設するステップが、
下面に凹凸が形成されている凹凸層を主層の下面に積層するサブステップと、
前記器具の端部を押し付けながら前記器具または前記主層をスライドさせることにより、前記滑り止め材を前記凹凸の表面に筋状に塗布して、前記凹凸の表面に前記弾性体の前記突部を筋状に固設するサブステップとを含む、請求項１１に記載の敷物の製造方法。
【発明の詳細な説明】
【技術分野】
【０００１】
本発明は、防滑性を有する敷物およびその製造方法に関し、より詳細には、撤去または取替の際にも設置箇所の床面に糊残りが発生することのない、防滑性を有する敷物およびその製造方法に関する。
【背景技術】
【０００２】
近年では、スポーツ施設や遊技スペースに限らず、ビルの屋上や建物間の吹き抜けまたは中庭といった様々な場所に人工芝が敷設されている。このような施設やスペースでは、敷設箇所の地面または床面に人工芝を単に置いただけの、いわゆる置き敷き工法が一般的に採用されている。置き敷き工法によれば、人工芝が傷んだ場合の補修が簡単であるので、補修工期も短く、補修費用も安く済むという利点がある。しかしながら、置き敷き工法には人工芝にずれが生じ易いという問題がある。
【０００３】
このようなずれの問題を解消するために、例えばテニスコートやフットサル場等のスポーツ施設では、人工芝を置き敷きした後に人工芝のパイル（芝葉）間に砂を充填し、砂の重みにより人工芝のずれを防止している。しかしながら、屋内のイベント空間や催し物会場といった、パイル間に砂を充填することができない敷設箇所では、上記したずれの問題を解消することができない。このような敷設箇所では、両面粘着テープや接着剤、面ファスナーを用いて、ロール状の人工芝を床面に固定している。
【０００４】
敷物を床面に固定する方法には種々の方法がある。例えば下記特許文献１では、水性接着剤、水性粘着剤または両面粘着テープを用いて、タイルカーペットやマット等の敷物を床面に設置固定している。下記特許文献２でも、粘着剤層が設けられたテープまたはシートを用いて、タイルカーペットを床面に固定している。
【先行技術文献】
【特許文献】
【０００５】
【特許文献１】特開２００１−１９３２６８号公報
【特許文献２】特開２０１２−２９９５８号公報
【発明の概要】
【発明が解決しようとする課題】
【０００６】
しかしながら、上記したずれの問題を解消するために、両面粘着テープや接着剤を用いて人工芝を床に固定すると、人工芝を撤去または取り替える際に、床面に残存した接着剤や両面粘着テープの粘着成分（糊残りとも呼ぶ）を除去しなければならないという問題がある。面ファスナーを用いる場合でも、面ファスナーのフック側またはループ側の基布を両面粘着テープや接着剤を用いて床に固定する必要があり、イベント終了後には固定した面ファスナーの基布自体を床から撤去しなければならないため、同様の糊残りの問題がある。
【０００７】
本発明は、上記課題を解決するためになされたものであり、その目的は、撤去または取替の際にも設置箇所の床面に糊残りが発生することのない、防滑性を有する敷物およびその製造方法を提供することにある。
【課題を解決するための手段】
【０００８】
上記目的を達成するための本発明は、以下に示す態様を含む。
（項１）
基層の敷設箇所に接する側の面に、弾性体の突部が筋状に固設されている敷物。
（項２）
前記基層が人工芝である、項１に記載の敷物。
（項３）
前記基層が、主層と、前記主層の下面に積層された前記弾性体からなる弾性層とを含み、
前記突部が前記弾性層から突出している、項１に記載の敷物。
（項４）
前記基層が、主層と、前記主層の下面に積層された凹凸層とを含み、
前記凹凸層の下面に形成されている凹凸の表面に、前記突部が固設されている、項１に記載の敷物。
（項５）
前記主層が人工芝である、項３または４に記載の敷物。
（項６）
前記凹凸層が、ポリ塩化ビニル（ＰＶＣ）またはゴムチップで形成されている、項４または５に記載の敷物。
（項７）
前記突部の横断面の形状が、矩形、台形、半円形および三角形のいずれかである、項１から６のいずれかに記載の敷物。
（項８）
隣接する前記突部の前記横断面の形状が異なっている、項１から７のいずれかに記載の敷物。
（項９）
隣接する前記突部の前記横断面の高さまたは幅が異なっている、項１から８のいずれかに記載の敷物。
（項１０）
前記弾性体が、シーリング材またはコーキング材である、項１から９のいずれかに記載の敷物。
（項１１）
端部に切り欠きを有する器具の端部を押し付けながら前記器具または基層をスライドさせることにより、硬化すると弾性体になる滑り止め材を、前記基層の敷設箇所に接する側の面に筋状に塗布して、前記基層の前記敷設箇所に接する側の面に、前記弾性体の突部を筋状に固設するステップを含む、敷物の製造方法。
（項１２）
前記弾性体の突部を筋状に固設するステップが、
前記滑り止め材を主層の下面に層状に塗布して、前記主層の下面に前記弾性体の弾性層を形成するサブステップと、
前記器具の端部を押し付けながら前記器具または前記主層をスライドさせることにより、前記滑り止め材を前記弾性層の表面に筋状に塗布して、前記弾性層の表面に前記弾性体の前記突部を筋状に固設するサブステップとを含む、項１１に記載の敷物の製造方法。
（項１３）
前記弾性体の突部を筋状に固設するステップが、
下面に凹凸が形成されている凹凸層を主層の下面に積層するサブステップと、
前記器具の端部を押し付けながら前記器具または前記主層をスライドさせることにより、前記滑り止め材を前記凹凸の表面に筋状に塗布して、前記凹凸の表面に前記弾性体の前記突部を筋状に固設するサブステップとを含む、項１１に記載の敷物の製造方法。
【発明の効果】
【０００９】
本発明によると、敷物は、基層の敷設箇所に接する側の面に、弾性体の突部が筋状に固設されており、この弾性体の突部が弾性変形することにより、床面との間のずれが防止される。また、敷物の敷設時に、砂等の充填材や、接着剤または両面粘着テープ等の固定手段を用いることなく置き敷きが可能であるので、撤去または取替の際にも設置箇所の床面に糊残りが発生することや、充填材の砂が床面に残留することがない。
【００１０】
また、本発明によると、砂等の充填材を用いることなく人工芝の置き敷きが可能になるので、屋内のイベント空間や催し物会場、体育館といった、パイル間に砂を充填することができない敷設箇所であっても、人工芝のテニスコートやサッカーコート、フットサルコート等を、より手軽に設営することが可能となる。
【図面の簡単な説明】
【００１１】
【図１】本発明の第１の実施形態に係る敷物１０ａの概略斜視図である。
【図２】本発明の第１の実施形態に係る敷物１０ａのＡ−Ａ′断面図である。
【図３】第１の実施形態に係る敷物１０ａに弾性体の突部１２を形成する際の様子の一例を示した模式図である。
【図４】本発明の第２の実施形態に係る敷物１０ｂの断面図である。
【図５】本発明の第３の実施形態に係る敷物１０ｃの概略斜視図である。
【図６】本発明の第３の実施形態に係る敷物１０ｃのＢ−Ｂ′断面図である。
【図７】本発明の第４の実施形態に係る敷物１０ｄの断面図である。
【図８】本発明の第１の実施形態に係る敷物１０ａの第１から第３の変形例に係る敷物１０ａ′，１０ａ′′，１０ａ′′′の断面図である。
【図９】本発明の第１の実施形態に係る敷物１０ａの第４の変形例に係る敷物１０ａ′′′′の裏側を模式的に示した平面図である。
【図１０】第１の実施形態に係る敷物１０ａに弾性体の突部１２を形成する際の様子の別の例を示した模式的な側面図である。
【発明を実施するための形態】
【００１２】
以下、本発明の実施の形態を、添付の図面を参照して詳細に説明する。なお、以下の説明および図面において、同じ符号は同じまたは類似の構成要素を示すこととし、よって、同じまたは類似の構成要素に関する説明を省略する。
【００１３】
（第１の実施形態）
図１は、本発明の第１の実施形態に係る敷物１０ａの概略斜視図であり、図２は、本発明の第１の実施形態に係る敷物１０ａのＡ−Ａ′断面図である。なお、敷設箇所に接する側の面（以下、単に裏面とも記載する）の構造を説明するために、図１の斜視図では、敷物１０ａを裏返して図示している。
【００１４】
図１および図２に示すように、第１の実施形態に係る敷物１０ａは、主層１１と、弾性体の突部１２とを備える。弾性体の突部１２は、固着すると弾性を有する材料を用いて、主層１１の裏面に筋状に突出して形成されている。敷物１０ａは、敷設時には突部１２が床面に接するように敷設される。
【００１５】
本実施形態では、弾性体の突部１２の材料には、硬化すると弾性を有するシリコン系のシーリング材（またはコーキング材）を使用し、主層１１には人工芝を使用する。主層１１に使用する人工芝は、パイル（芝葉）１１ａの植設部が植設基層１１ｂの裏側に貫通し、パイル１１ａの表出部が表側に突出するように植設されている構造を有する。任意の構成として、植設基層１１ｂの裏側に貫通するパイル１１ａの植設部が、樹脂層（または合成ゴム層）１１ｃにより植設基層１１ｂの裏側から固定されていてもよい。
【００１６】
図３は、第１の実施形態に係る敷物１０ａに弾性体の突部１２を形成する際の様子の一例を示した模式図である。
【００１７】
まずは、主層１１の裏面に、例えば上記したシーリング材ｇを概ね薄く略一様に塗布する。次に、図３に示すように、端部に切り欠き２１を有する器具２０（塗布具）の端部を、主層１１の表面に押し付けながらスライドさせることにより、主層１１の表面に突部１２を筋状に形成する。この際、器具２０の端部を斜めに主層１１に押し付けることで、器具２０の端部の主層１１表面と当接する部分のシーリング材を主層１１の表面から拭い去るように、器具２０をスライドさせる。切り欠き２１がスライドする部分の主層１１の表面には、シーリング材が拭い去られずに筋状に残される。主層１１の表面に筋状に残されたシーリング材は、その後固着して弾性体の突部１２となる。突部１２の横断面は器具２０の切り欠き２１と同じ形状となり、図示する例では、突部１２の横断面の形状は三角形である。
【００１８】
このように、第１の実施形態に係る敷物１０ａでは、主層１１の敷設箇所に接する側の面（裏面）に、弾性体の突部１２が筋状に形成されている。敷物１０ａが床面に敷設されている状態では、弾性体の突部１２が弾性変形することにより、床面との間のずれが防止される。また、突部１２は弾性変形することにより、敷設時にはクッションとしても作用することができる。このような弾性体の突部１２は、間隔が空いた島状ではなく連続した筋状に形成されることで、主層１１からの剥がれ落ちが防止される。
【００１９】
（第２の実施形態）
図４は、本発明の第２の実施形態に係る敷物１０ｂの断面図である。第２の実施形態に係る敷物１０ｂは、弾性層１３を備える点で、第１の実施形態に係る敷物１０ａと異なる。第２の実施形態に係る敷物１０ｂは、主層１１と、主層の下面に積層された弾性層１３と、弾性体の突部１２とを備える。弾性体の突部１２は弾性層１３の裏面に筋状に突出して形成されている。弾性層１３は突部１２と同じ材料で形成されている。
【００２０】
弾性層１３を形成する方法としては、第１の実施形態に係る敷物１０ａを形成する際と同様に、まず、主層１１の裏面に、固着すると弾性を有する材料を、概ね所定の厚さで略一様に塗布する。次に、図３と同様に、端部に切り欠き２１を有する器具２０の端部を、主層１１の表面でスライドさせる。この際、器具２０の端部を主層１１の表面から所定の間隔を空けて斜めに浮かせることで、器具２０の端部の主層１１表面と当接する部分のシーリング材を主層１１の表面に層状に残すように、器具２０をスライドさせる。これにより、主層１１の表面にはシーリング材が層状に残され、さらに、切り欠き２１がスライドする部分に沿ったそのシーリング材の層の表面には、シーリング材が拭い去られずに筋状に残される。主層１１の表面に層状に残されたシーリング材は、その後固着して弾性層１３となり、弾性層１３の表面に筋状に残されたシーリング材は、その後弾性層１３と一体化されて固着して弾性体の突部１２となる。突部１２の横断面は器具２０の切り欠き２１と同じ形状となる。
【００２１】
このように、第２の実施形態に係る敷物１０ｂでは、弾性層１３の敷設箇所に接する側の面（裏面）に、弾性体の突部１２が筋状に形成されている。敷物１０ｂが床面に敷設されている状態では、弾性体の突部１２が弾性変形することにより、床面との間のずれが防止される。また、突部１２は弾性層１３と共に弾性変形することにより、敷設時にはクッションとしても作用することができる。このような弾性体の突部１２は、弾性層１３と一体化されて筋状に形成されることで、主層１１からの剥がれ落ちが防止される。また、シーリング材からなる弾性層１３が植設基層１１ｂまたは樹脂層１１ｃの裏面に固着して形成されることにより、パイル１１ａの抜け落ちが防止されて人工芝の耐摩耗性が向上し、使い易く長期間の使用にも耐えられるという経済的な効果も向上する。
【００２２】
（第３の実施形態）
図５は、本発明の第３の実施形態に係る敷物１０ｃの概略斜視図であり、図６は、本発明の第３の実施形態に係る敷物１０ｃのＢ−Ｂ′断面図である。なお、敷設箇所に接する側の面（裏面）の構造を説明するために、図５の斜視図では、敷物１０ｃを裏返して図示している。
【００２３】
図５および図６に示すように、第３の実施形態に係る敷物１０ｃは、凹凸層１４を備える点で、第１の実施形態に係る敷物１０ａと異なる。第３の実施形態に係る敷物１０ｃは、主層１１と、主層の下面に積層された凹凸層１４と、弾性体の突部１２とを備える。弾性体の突部１２は、凹凸層１４の裏面の凹部に筋状に突出して形成されている。図６に示すように、突部１２の先端が凹凸層１４の凸部１４ａよりも突出しているのが好ましい。
【００２４】
本実施形態では、凹凸層１４には、ワールド敷物加工株式会社製の、クッション性を有するＰＶＣ（ポリ塩化ビニル）シート（品番：PV70）を使用する。主層１１に凹凸層１４を積層する方法としては、例えば弾性体の突部１２を形成する前に、接着剤や両面粘着テープ等の固定手段を用いて、主層１１の裏面に積層すればよい。弾性体の突部１２を形成する方法は、図３を参照して説明した第１の実施形態に係る方法と同様である。
【００２５】
このように、第３の実施形態に係る敷物１０ｃでは、凹凸層１４の敷設箇所に接する側の面（裏面）に、弾性体の突部１２が筋状に形成されている。敷物１０ｃが床面に敷設されている状態では、凹凸層１４の表面に形成されている凸部１４ａが弾性体の突部１２と共に弾性変形することにより、床面との間のずれがより効果的に防止される。凹凸層１４はクッション性を有し、突部１２は弾性変形することにより、敷設時には凹凸層１４と共にクッションとしても作用することができる。このような弾性体の突部１２は、間隔が空いた島状ではなく連続した筋状に形成され、かつ凹凸層１４の凹部に形成されていることで、凹凸層１４からの剥がれ落ちが防止される。
【００２６】
（第４の実施形態）
図７は、本発明の第４の実施形態に係る敷物１０ｄの断面図である。第４の実施形態に係る敷物１０ｄは、弾性体の突部１２が、凹凸層１４の裏面の凸部１４ａに筋状に突出して形成されている点でのみ、第３の実施形態に係る敷物１０ｃと異なる。
【００２７】
第４の実施形態に係る敷物１０ｄでも、凹凸層１４の敷設箇所に接する側の面（裏面）に、弾性体の突部１２が筋状に形成されている。敷物１０ｄが床面に敷設されている状態では、凹凸層１４の表面に形成されている凸部１４ａが弾性体の突部１２と共に弾性変形することにより、床面との間のずれがより効果的に防止される。凹凸層１４はクッション性を有し、突部１２は弾性変形することにより、敷設時には凹凸層１４と共にクッションとしても作用することができる。このような弾性体の突部１２は筋状に形成されることで、凹凸層１４からの剥がれ落ちが防止される。
【００２８】
（付記事項）
以上、本発明を特定の実施の形態によって説明したが、本発明は上記した実施の形態に限定されるものではない。
【００２９】
上記第１から第４の実施形態では、主層１１に人工芝を用いているが、人工芝に代えてタイルカーペットやマット等の敷物を主層１１に用いてもよい。用いる人工芝も、片手で運搬可能な程度の寸法を有する、タイル状のものまたはユニット式のものに限られず、比較的広い面積を有するロール状の人工芝を主層１１に用いてもよい。
【００３０】
上記第１から第４の実施形態では、弾性体の突部１２の材料にはシリコン系のシーリング材を使用しているが、使用するシーリング材はシリコン系に限定されず、硬化すると弾性を有する材料であれば、シリコン系のシーリング材に代えて、変成シリコン系、ポリウレタン系、アクリルウレタン系、およびポリサルファイド系等の種々のシーリング材を使用することができる。また、使用するシーリング材も１成分形に限られず、２成分形であってもよい。なお、本明細書ではシーリング材とコーキング材とは同じ意味で使用している。また、弾性体の突部１２の材料は、硬化すると弾性を有する材料であればシーリング材またはコーキング材に限定されず、接着剤であってもよい。このような接着剤の一例としては、例えば変成シリコンエポキシ樹脂系接着剤が挙げられる。
【００３１】
上記第１から第４の実施形態では、弾性体の突部１２の横断面の形状は三角形であるが、突部１２の横断面の形状はこれに限定されない。図８は、本発明の第１の実施形態に係る敷物１０ａの第１から第３の変形例に係る敷物１０ａ′，１０ａ′′，１０ａ′′′の断面図である。例えば図８（ａ）の第１の変形例に係る敷物１０ａ′の断面図に示すように、台形や矩形、半円形、およびこれらを適宜組み合わせた種々の形状１２ａであってもよい。このような横断面の形状に突部１２を形成するには、突部１２を形成する際に用いる器具２０の切り欠き２１の形状を、予めこれらの形状に合わせて作製しておけばよい。
【００３２】
上記第１から第４の実施形態では、弾性体の突部１２の横断面の形状は全て同じ形状であるが、突部１２の横断面の形状は全て同じである必要はなく、例えば図８（ｂ）の第２の変形例に係る敷物１０ａ′′の断面図に示すように、隣接する突部１２ａ，１２ｂの横断面の形状を異ならせてもよい。あるいは、例えば図８（ｃ）の第３の変形例に係る敷物１０ａ′′′の断面図に示すように、隣接する突部１２ｂ，１２ｂ′の横断面の高さおよび／または幅を異ならせてもよい。
【００３３】
上記第１から第４の実施形態では、弾性体の突部１２は、主層１１や弾性層１３または凹凸層１４の裏面の全面に設けられているが、弾性体の突部１２は、これらの層の裏面の全面に設けられる必要はなく、例えば図９に示すように、主層１１の裏面の一部に（例えば周縁部の所定の幅の領域に）設けられてもよい。図９は、本発明の第１の実施形態に係る敷物１０ａの第４の変形例に係る敷物１０ａ′′′′の裏側を模式的に示した平面図である。弾性体の突部１２を形成する領域が主層１１の裏面を占める割合は、主層１１の面積に応じて適宜調整してもよい。また、主層１１の裏面の周縁部に弾性体の突部１２を設ける場合にも、図９に示すように、筋状の弾性体の突部１２の全てを平行に形成する必要はない。
【００３４】
上記第１から第４の実施形態では、弾性体の突部１２は、端部に切り欠き２１を有する器具２０の端部を主層１１の表面に押し付けながら、器具２０をスライドさせることにより、主層１１の表面に筋状に形成しているが、例えば図１０に示すように、器具２０のスライドに代えて、器具２０の位置を固定して、回転方向Ｒに主層１１をロール状に巻き取って主層１１側をスライドさせることにより、弾性体の突部１２を筋状に形成してもよい。主層１１としてロール状の人工芝の裏面に弾性体の突部１２を形成する場合には、こちらの方法が効率的である。一般的な人工芝を加工生産する際の工程の間に図１０に示す工程を追加で行って、必要に応じて植設基層１１ｂまたは樹脂層１１ｃの裏面にシーリング材ｇを同時に塗布することにより、作業効率を向上させることができる。あるいは、作業効率は低下するが、シーリング材またはコーキング材が封入されているチューブを作業者が手で持ち、チューブの先端から出てくるシーリング材ｇを主層１１の表面に筋状に塗布することにより、弾性体の突部１２を形成してもよい。
【００３５】
上記第３から第４の実施形態では、凹凸層１４にクッション性を有するＰＶＣシートを使用しているが、ＰＶＣシートに代えてゴムチップの成型物を凹凸層１４に使用してもよい。ゴムチップは、例えば人工芝のパイル間に充填材として散布されているものを使用し、例えばゴムチップをバインダー（接着剤）で所望の厚さで層状に成型するとよい。表面の凹凸は、ゴムチップを層状に平らに形成した後、溝を彫ることで形成してもよく、或いは、バインダーが硬化する前に、表面に凹凸の模様を有する型をゴムチップの層の表面に押し付けて形成してもよい。このようなゴムチップの成型物はクッション性を有している。
【符号の説明】
【００３６】
１０ａ，１０ｂ，１０ｃ，１０ｄ     敷物
１１   主層（人工芝）
１１ａ パイル
１１ｂ 植設基層
１１ｃ 樹脂層（合成ゴム層）
１２，１２ａ，１２ｂ，１２ｂ′     弾性体の突部
１３   弾性層
１４   凹凸層
１４ａ 凹凸層の凸部
２０   端部に切り欠きを有する器具（塗布具）
２１   切り欠き
ｇ     硬化前のシーリング材
【図１】
2017210761.tif 000003
【図２】
2017210761.tif 000004
【図３】
2017210761.tif 000005
【図４】
2017210761.tif 000006
【図５】
2017210761.tif 000007
【図６】
2017210761.tif 000008
【図７】
2017210761.tif 000009
【図８】
2017210761.tif 000010
【図９】
2017210761.tif 000011
【図１０】
2017210761.tif 000012